【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
寛骨臼構成要素を位置決めするためのトライアル医用器械であって、
患者の寛骨臼内に嵌るように構成された第１の部分と、
前記第１の部分から延在する第２の部分と、
を備え、
前記第２の部分は、大腿骨インプラント構成要素が結合される大腿骨が、寛骨臼インプラント構成要素が結合される寛骨臼に対して、前記大腿骨の典型的な可動域の範囲に近い位置をとる場合に、前記寛骨臼インプラント構成要素に結合された前記大腿骨インプラント構成要素によって形成される形状を模倣する方向へと前記第１の部分から延在する、トライアル医用器械。
【請求項２】
前記寛骨臼に対面するように構成された前記第１の部分の表面にエッチング加工された目印をさらに含み、前記目印は、前記寛骨臼に対する位置合わせのために基準を与えるように構成されている、請求項１に記載のトライアル医用器械。
【請求項３】
前記目印は、平行な線、または数文字、またはアルファベット文字を含む、請求項２に記載のトライアル医用器械。
【請求項４】
前記寛骨臼に対する前記第１の部分の望ましい位置をマーキングするために、軌道に沿って前記寛骨臼の中または付近に固定具を送るように構成された固定具ガイドを備える、請求項１から３のいずれか一項に記載のトライアル医用器械。
【請求項５】
前記固定具ガイドは、前記寛骨臼の中心により画定される軸からオフセットされた角度で前記固定具を送るように構成され、前記トライアル医用器械が前記大腿骨に前記トライアル医用器械を結合するように構成された大腿骨接合部を任意選択でさらに備え、さらに任意選択で前記トライアル医用器械が前記大腿骨接合部に前記トライアル医用器械を結合するように構成された本体をさらに備える、請求項４に記載のトライアル医用器械。
【請求項６】
寛骨臼構成要素を位置合わせしかつ植え込むためのシステムであって、
大腿骨と所定の関係で医用器械を位置合わせするための手段と、
寛骨臼内に前記寛骨臼構成要素を配置するための誘導を与えるために、前記寛骨臼内の前記医用器械の位置を示唆するための手段と、
前記位置合わせするための手段と固定関係にて示唆するための手段を配向するための手段であって、前記固定関係は、大腿骨構成要素に結合されるように構成された大腿骨が、前記大腿骨の典型的な可動域の範囲に近い前記寛骨臼に対する位置をとる場合には、前記寛骨臼構成要素と前記大腿骨構成要素との間の関係と実質的に同一である、手段と、
を備える、システム。
【請求項７】
前記寛骨臼に対して示唆するための手段を位置合わせするための基準を与えるための手段をさらに備える、請求項６に記載のシステム。
【請求項８】
前記寛骨臼に対する前記寛骨臼構成要素の望ましい位置をマーキングするために、軌道に沿って前記寛骨臼の中または付近に固定具を送るための手段をさらに備え、
任意選択で、前記送るための手段は、前記寛骨臼の中心により画定される軸に対してある角度で前記固定具を送るための手段をさらに備え、
かつさらに任意選択で前記システムが、前記大腿骨に前記医用器械を結合するための手段をさらに備え、
かつさらに任意選択で前記システムが、前記大腿骨に医用器械を結合するための手段に前記医用器械を結合するための手段をさらに備える、請求項７に記載のシステム。
【請求項９】
寛骨臼に対する大腿骨の位置に基づき寛骨臼構成要素を位置合わせするための医用器械であって、
前記大腿骨と所定の関係で前記医用器械を位置合わせするために前記大腿骨に結合するように構成された大腿骨接合部と、
前記寛骨臼内に前記寛骨臼構成要素を配置するための位置を示すために前記寛骨臼内で移動されるように構成された寛骨臼接合部と、
前記大腿骨接合部と前記寛骨臼接合部との間に結合される本体であって、前記大腿骨接合部と固定関係において前記寛骨臼接合部を配向する本体と、
を備え、
前記大腿骨接合部に対する前記寛骨臼接合部の前記固定関係は、大腿骨構成要素に結合されるように構成された前記大腿骨が、前記大腿骨の典型的な可動域の範囲に近い前記寛骨臼に対する位置をとる場合には、前記寛骨臼構成要素と前記大腿骨構成要素との間の関係と実質的に同一である、医用器械。
【請求項１０】
前記大腿骨接合部は、前記大腿骨の髄内管に結合するために髄内構成要素を備える、請求項９に記載の医用器械。
【請求項１１】
前記寛骨臼接合部は、少なくとも部分的に球状であり、
任意選択で、前記寛骨臼接合部は、半球状である、請求項９に記載の医用器械。
【請求項１２】
前記寛骨臼接合部は、寛骨臼構成要素を受けるために前記寛骨臼をマーキングするための基準を与える目印を備える、または前記寛骨臼接合部は、前記寛骨臼に対する前記寛骨臼接合部のサイズおよび配向を判定するために基準を与える目印を備える、請求項９に記載の医用器械。
【請求項１３】
前記寛骨臼接合部は、リーマ加工された寛骨臼内でまたはリーマ加工されない寛骨臼内で移動されるように構成される、請求項９に記載の医用器械。
【請求項１４】
前記大腿骨接合部、前記寛骨臼接合部、および前記本体は、単体ピースである、
または、前記寛骨臼接合部および前記本体は、単体ピースであり、かつ前記大腿骨接合部は、前記本体に取外し可能に固定されるように構成される、
または、前記大腿骨接合部および前記本体は、単体ピースであり、かつ前記寛骨臼接合部は、前記本体に取外し可能に固定されるように構成される、請求項９に記載の医用器械。
【請求項１５】
前記医用器械に結合された前記大腿骨が、前記所定の位置において前記大腿骨の典型的な可動域の前記範囲に近い前記寛骨臼に対する位置をとる場合に、前記寛骨臼内における前記寛骨臼構成要素の位置は、望ましい位置となり、
任意選択で、前記寛骨臼構成要素の望ましい位置は、前記寛骨臼構成要素の縁の面が前記寛骨臼の外周部と実質的に平行になる場合の位置である、請求項９に記載の医用器械。
【請求項１６】
前記大腿骨が、前記大腿骨の典型的な可動域の前記範囲に近い寛骨臼に対する位置をとる場合に、前記大腿骨は、約１５〜３０度の前捻角、例えば約２５度の前捻角の範囲内で前記大腿骨を回転させることによってほぼ中立の位置から回転位置へと移動されている、請求項９に記載の医用器械。
【請求項１７】
前記医用器械は、骨に対する寛骨臼構成要素の相対位置を確立および維持するために、軌道に沿って前記骨の中に骨固定具を送るように構成された固定具ガイドを備える、請求項９に記載の医用器械。
【請求項１８】
寛骨臼股関節置換構成要素と関節連結するように設計された大腿骨股関節置換構成要素の組合せ形状体を模倣した、固定的な非関節形状の医用器械であって、模倣される前記形状体は、大腿骨構成要素に結合されるように構成された大腿骨が、前記大腿骨の典型的な可動域の範囲に近い寛骨臼に対する位置をとる場合には、前記大腿骨股関節置換構成要素および前記寛骨臼股関節置換構成要素の組合せ形状体である、医用器械。
【請求項１９】
前記医用器械に結合された前記大腿骨が、前記大腿骨の典型的な可動域の前記範囲に近い前記寛骨臼に対する位置をとる場合に、前記寛骨臼内における寛骨臼構成要素の位置は、望ましい位置となり、
任意選択で、前記寛骨臼内における医用器械の望ましい位置は、前記医用器械の寛骨臼構成要素の縁の平面が、前記寛骨臼の外周部と実質的に平行となる位置である、請求項１８に記載の医用器械。
【請求項２０】
前記大腿骨が、前記大腿骨の典型的な可動域の前記範囲に近い前記寛骨臼に対する位置をとる場合に、前記大腿骨は、約１５〜３０度の前捻角、例えば約２５度の前捻角の範囲内で前記大腿骨を回転させることによってほぼ中立の位置から回転位置へと移動されている、請求項１８に記載の医用器械。
【請求項２１】
寛骨臼に対する大腿骨の位置に基づき寛骨臼構成要素を位置合わせする方法であって、
前記寛骨臼構成要素を位置合わせするために医用器械を用意するステップであって、前記医用器械が、
前記大腿骨と所定の関係において前記医用器械を位置合わせするために前記大腿骨に結合するように構成された大腿骨接合部と、
前記寛骨臼内に前記寛骨臼構成要素を配置するための位置を示すために前記寛骨臼内で移動されるように構成された寛骨臼接合部と、
前記大腿骨接合部と前記寛骨臼接合部との間に結合される本体であって、前記本体は、前記大腿骨接合部と固定関係において前記寛骨臼接合部を配向する本体と、
を備える、ステップと、
前記大腿骨と所定の関係において前記医用器械を位置合わせするために、前記大腿骨に前記医用器械を結合するステップと、
前記寛骨臼に対して第１の位置に前記大腿骨を位置決めするステップと、
前記寛骨臼に対して第２の位置に前記大腿骨を移動するステップと、
前記寛骨臼に対する前記寛骨臼接合部の位置を記録するステップと、
前記寛骨臼に対する寛骨臼接合部の記録された位置に基づき前記寛骨臼構成要素を植え込むステップと、
を含む、方法。
【請求項２２】
トライアル構成要素を用いて寛骨臼構成要素を位置合わせしかつ植え込むための方法であって、前記方法が、
大腿骨と固定的な所定の関係で前記トライアル構成要素を位置合わせするために大腿骨にトライアル構成要素を結合するステップと、
寛骨臼内に前記トライアル構成要素を配置するステップであって、前記トライアル構成要素が、寛骨臼内に寛骨臼構成要素を植え込むための位置を示すために前記大腿骨を介して前記寛骨臼内で移動されるように構成された、ステップと、
前記寛骨臼に対して第１の位置に前記大腿骨を位置決めするステップと、
前記寛骨臼に対して第１の位置から第２の位置に前記大腿骨を移動するステップであって、前記トライアル構成要素と前記大腿骨との間の固定関係が、前記トライアル構成要素を前記寛骨臼に対して移動させる、ステップと、
前記大腿骨が第２の位置にあるとき、前記寛骨臼に対するトライアル構成要素の位置を記録するステップと、
前記記録されたトライアル構成要素の位置に基づき前記寛骨臼構成要素を植え込むステップと、
を備える方法。